(57)【要約】【課題】サービスに登録済みのユーザが利用しているサービスの内容を、サービスに未登録のユーザが容易に理解できるようにする。【解決手段】サーバ装置３０は、ユーザＡの端末装置１０Ａと、ユーザＡの知人のユーザＢの端末装置１０Ｂとの間の音声通話が終了すると、サービスの利用登録済みのユーザＡが、サービスに未登録のユーザＢに対してサービスの利用を勧めることを許可しているか判断する。利用を勧めることを許可している場合、サーバ装置３０は、サービスの内容を説明する電子メールを端末装置１０Ｂへ送信する。端末装置１０Ｂにおいて電子メールが開封されると、ユーザＡが利用しているサービスへの登録を勧める文と、サービスの内容を説明した文が表示される。【選択図】図１
2013162217.tif 000002
【特許請求の範囲】
【請求項１】
サービスの利用登録をしている登録ユーザの通信識別子と、前記サービスに未登録の未登録ユーザの通信識別子と、前記未登録ユーザの通信識別子に対応付けられ、前記登録ユーザが利用登録しているサービスへの登録を当該未登録ユーザへ勧めることを許可する許可データとを記憶した第１データベースと、
前記サービスの内容を表示するための表示データを記憶した第２データベースと、
前記登録ユーザの通信識別子と、前記未登録ユーザの通信識別子を受信する受信手段と、
前記受信手段で受信した登録ユーザの通信識別子と未登録ユーザの通信識別子とが前記第１データベースに記憶されており、当該未登録ユーザの通信識別子に前記許可データが対応付けられている場合、前記登録ユーザが利用登録しているサービスに対応した表示データを前記第２データベースから取得する取得手段と、
前記取得した表示データを前記未登録ユーザの通信識別子で特定される端末装置へ送信する送信手段と
を有するサーバ装置。
【請求項２】
前記登録ユーザの通信識別子と前記未登録ユーザの通信識別子は、当該登録ユーザの通信識別子で特定される端末装置と、当該未登録ユーザの通信識別子で特定される端末装置との通信が終了したことを契機にして当該サーバ装置へ送信され、前記受信手段は、当該送信された各識別子を受信すること
を特徴とする請求項１に記載のサーバ装置。
【請求項３】
前記取得手段は、前記登録ユーザが前記サービスを利用した頻度が閾値以上の場合に前記第２データベースからデータを取得すること
を特徴とする請求項１又は請求項２に記載のサーバ装置。
【請求項４】
前記受信手段で受信された各通信識別子で特定される端末装置同士の間で行われた通信の頻度を取得し、
前記未登録ユーザの通信識別子に対して前記許可データが対応付けられてなく、且つ、前記取得した頻度が予め定められた閾値以上の場合、前記未登録ユーザの通信識別子に対して前記許可データを対応付けるように勧める通知を、前記登録ユーザの通信識別子で特定される端末装置へ送信すること
を特徴とする請求項１乃至請求項３のいずれか一項に記載のサーバ装置。
【請求項５】
前記表示データの内容が表示されたことを示す通知を前記表示データが送信された端末装置から受信していない場合、当該端末装置へ送信した表示データを再送すること
を特徴とする請求項１乃至請求項４のいずれか一項に記載のサーバ装置。
【請求項６】
前記受信手段で受信された通信識別子で特定される端末装置同士の間で行われた通信の回数を取得し、
前記未登録ユーザの通信識別子に対して前記許可データが対応付けられてなく、且つ、前記取得した回数が予め定められた条件を満たした場合にも、前記表示データを前記第２データベースから取得し、前記電子メールを送信すること
を特徴とする請求項１乃至請求項５のいずれか一項に記載のサーバ装置。
【請求項７】
前記未登録ユーザの通信識別子に対して前記許可データが対応付けられてなく、且つ、前記登録ユーザと前記未登録ユーザとの関係が、予め定められた条件を満たしている場合にも、前記表示データを前記第２データベースから取得し、前記表示データを送信すること
を特徴とする請求項１乃至請求項６のいずれか一項に記載のサーバ装置。
【請求項８】
サービスの利用登録をしている登録ユーザの通信識別子と、前記サービスに未登録の未登録ユーザの通信識別子と、前記未登録ユーザの通信識別子に対応付けられ、前記登録ユーザが利用登録しているサービスへの登録を当該未登録ユーザへ勧めることを許可する許可データとを記憶した第１データベースと、
前記サービスの内容を表示するための表示データを記憶した第２データベースと、
前記登録ユーザの通信識別子と、前記未登録ユーザの通信識別子を受信する受信手段と、
前記受信手段で受信した登録ユーザの通信識別子と未登録ユーザの通信識別子とが前記第１データベースに記憶されており、当該未登録ユーザの通信識別子に前記許可データが対応付けられている場合、前記登録ユーザが利用登録しているサービスに対応した表示データを前記第２データベースから取得する取得手段と、
前記取得した表示データを前記未登録ユーザの通信識別子で特定される端末装置へ送信する送信手段と
を有するサーバ装置と、
前記登録ユーザの通信識別子で特定される端末装置と、
前記未登録ユーザの通信識別子で特定される端末装置と
を有する勧誘システム。
【請求項９】
サービスの利用登録をしている登録ユーザの通信識別子と、前記サービスに未登録の未登録ユーザの通信識別子を受信する受信ステップと、
前記登録ユーザの通信識別子と、前記未登録ユーザの通信識別子と、前記未登録ユーザの通信識別子に対応付けられ、前記登録ユーザが利用登録しているサービスへの登録を当該未登録ユーザへ勧めることを許可する許可データとを記憶した第１データベースにおいて、前記受信ステップで受信した登録ユーザの通信識別子と未登録ユーザの通信識別子が記憶されており、当該未登録ユーザの通信識別子に前記許可データが対応付けられている場合、前記登録ユーザが利用登録しているサービスに対応した表示データを、前記サービスの内容を表示するための表示データを記憶した第２データベースから取得する取得ステップと、
前記取得した表示データを前記未登録ユーザの通信識別子で特定される端末装置へ送信する送信ステップと、
前記未登録ユーザの通信識別子で特定される端末装置が、前記送信ステップで送信された表示データを受信する表示データ受信ステップと、
前記未登録ユーザの通信識別子で特定される端末装置が、表示データ受信ステップで受信した表示データの内容を表示する表示ステップと
を有する勧誘方法。
【発明の詳細な説明】
【技術分野】
【０００１】
本発明は、サービスへの登録を勧誘する技術に関する。
【背景技術】
【０００２】
通信網を利用したサービスへの登録を勧誘するシステムとして、特許文献１に開示されたシステムがある。このシステムにおいては、例えば、通信端末ＡのユーザＡが通信端末ＢのユーザＢへリングバックトーンを勧める場合、ユーザＡは、推奨するリングバックトーンの楽曲名を指定し、ユーザＢのメールアドレスを入力する。システム側は、この楽曲名とメールアドレスとを取得すると、楽曲の格納先を示すＵＲＬが記述された電子メールをメールアドレスで特定される通信端末へ送信する。次に、この電子メールを受信した通信端末が、電子メールに記述されているＵＲＬと、通信端末のユーザに付与されている電話番号とをユーザの操作に応じてシステム側へ送信すると、システム側は、この電話番号が登録されているか判断する。システム側は、送信された電話番号が登録がされていない場合には、リングバックトーンサービスへの登録を受け付けるＷＥＢページへのリンクが記述された画面データを、ユーザＢの通信端末へ送信する。
【先行技術文献】
【特許文献】
【０００３】
【特許文献１】特開２００５−１８４５２９号公報
【発明の概要】
【発明が解決しようとする課題】
【０００４】
特許文献１のシステムによれば、サービスに未登録の者に対してサービスへの登録を受け付けるページが表示されるため、サービスへの登録を促すことができる。しかしながら、特許文献１のシステムにおいては、未登録のユーザに対してサービスへの登録を受け付けることしか表示されないため、未登録のユーザが登録済みのユーザが利用しているサービスの内容を理解することが難しいという課題がある。
【０００５】
本発明は、上述した背景の下になされたものであり、サービスに登録済みのユーザが利用しているサービスの内容を、サービスに未登録のユーザが容易に理解できるようにすることを目的とする。
【課題を解決するための手段】
【０００６】
上述した目的を達成するため、本発明は、サービスの利用登録をしている登録ユーザの通信識別子と、前記サービスに未登録の未登録ユーザの通信識別子と、前記未登録ユーザの通信識別子に対応付けられ、前記登録ユーザが利用登録しているサービスへの登録を当該未登録ユーザへ勧めることを許可する許可データとを記憶した第１データベースと、前記サービスの内容を表示するための表示データを記憶した第２データベースと、前記登録ユーザの通信識別子と、前記未登録ユーザの通信識別子を受信する受信手段と、前記受信手段で受信した登録ユーザの通信識別子と未登録ユーザの通信識別子とが前記第１データベースに記憶されており、当該未登録ユーザの通信識別子に前記許可データが対応付けられている場合、前記登録ユーザが利用登録しているサービスに対応した表示データを前記第２データベースから取得する取得手段と、前記取得した表示データを前記未登録ユーザの通信識別子で特定される端末装置へ送信する送信手段とを有するサーバ装置を提供する。
【０００７】
本発明においては、前記登録ユーザの通信識別子と前記未登録ユーザの通信識別子は、当該登録ユーザの通信識別子で特定される端末装置と、当該未登録ユーザの通信識別子で特定される端末装置との通信が終了したことを契機にして当該サーバ装置へ送信され、前記受信手段は、当該送信された各識別子を受信する構成としてもよい。
【０００８】
また、本発明においては、前記取得手段は、前記登録ユーザが前記サービスを利用した頻度が閾値以上の場合に前記第２データベースからデータを取得する構成としてもよい。
【０００９】
また、本発明においては、前記受信手段で受信された各通信識別子で特定される端末装置同士の間で行われた通信の頻度を取得し、前記未登録ユーザの通信識別子に対して前記許可データが対応付けられてなく、且つ、前記取得した頻度が予め定められた閾値以上の場合、前記未登録ユーザの通信識別子に対して前記許可データを対応付けるように勧める通知を、前記登録ユーザの通信識別子で特定される端末装置へ送信する構成としてもよい。
【００１０】
また、本発明においては、前記表示データの内容が表示されたことを示す通知を前記表示データが送信された端末装置から受信していない場合、当該端末装置へ送信した表示データを再送する構成としてもよい。
【００１１】
また、本発明においては、前記受信手段で受信された通信識別子で特定される端末装置同士の間で行われた通信の回数を取得し、前記未登録ユーザの通信識別子に対して前記許可データが対応付けられてなく、且つ、前記取得した回数が予め定められた条件を満たした場合にも、前記表示データを前記第２データベースから取得し、前記電子メールを送信する構成としてもよい。
【００１２】
また、本発明においては、前記未登録ユーザの通信識別子に対して前記許可データが対応付けられてなく、且つ、前記登録ユーザと前記未登録ユーザとの関係が、予め定められた条件を満たしている場合にも、前記表示データを前記第２データベースから取得し、前記表示データを送信する構成としてもよい。
【００１３】
また、本発明は、サービスの利用登録をしている登録ユーザの通信識別子と、前記サービスに未登録の未登録ユーザの通信識別子と、前記未登録ユーザの通信識別子に対応付けられ、前記登録ユーザが利用登録しているサービスへの登録を当該未登録ユーザへ勧めることを許可する許可データとを記憶した第１データベースと、前記サービスの内容を表示するための表示データを記憶した第２データベースと、前記登録ユーザの通信識別子と、前記未登録ユーザの通信識別子を受信する受信手段と、前記受信手段で受信した登録ユーザの通信識別子と未登録ユーザの通信識別子とが前記第１データベースに記憶されており、当該未登録ユーザの通信識別子に前記許可データが対応付けられている場合、前記登録ユーザが利用登録しているサービスに対応した表示データを前記第２データベースから取得する取得手段と、前記取得した表示データを前記未登録ユーザの通信識別子で特定される端末装置へ送信する送信手段とを有するサーバ装置と、前記登録ユーザの通信識別子で特定される端末装置と、前記未登録ユーザの通信識別子で特定される端末装置とを有する勧誘システムを提供する。
【００１４】
また、本発明は、サービスの利用登録をしている登録ユーザの通信識別子と、前記サービスに未登録の未登録ユーザの通信識別子を受信する受信ステップと、前記登録ユーザの通信識別子と、前記未登録ユーザの通信識別子と、前記未登録ユーザの通信識別子に対応付けられ、前記登録ユーザが利用登録しているサービスへの登録を当該未登録ユーザへ勧めることを許可する許可データとを記憶した第１データベースにおいて、前記受信ステップで受信した登録ユーザの通信識別子と未登録ユーザの通信識別子が記憶されており、当該未登録ユーザの通信識別子に前記許可データが対応付けられている場合、前記登録ユーザが利用登録しているサービスに対応した表示データを、前記サービスの内容を表示するための表示データを記憶した第２データベースから取得する取得ステップと、前記取得した表示データを前記未登録ユーザの通信識別子で特定される端末装置へ送信する送信ステップと、前記未登録ユーザの通信識別子で特定される端末装置が、前記送信ステップで送信された表示データを受信する表示データ受信ステップと、前記未登録ユーザの通信識別子で特定される端末装置が、表示データ受信ステップで受信した表示データの内容を表示する表示ステップとを有する勧誘方法を提供する。
【００１５】
また、本発明は、コンピュータに、サービスの利用登録をしている登録ユーザの通信識別子と、前記サービスに未登録の未登録ユーザの通信識別子を受信する受信ステップと、前記登録ユーザの通信識別子と、前記未登録ユーザの通信識別子と、前記未登録ユーザの通信識別子に対応付けられ、前記登録ユーザが利用登録しているサービスへの登録を当該未登録ユーザへ勧めることを許可する許可データとを記憶した第１データベースにおいて、前記受信ステップで受信した登録ユーザの通信識別子と未登録ユーザの通信識別子が記憶されており、当該未登録ユーザの通信識別子に前記許可データが対応付けられている場合、前記登録ユーザが利用登録しているサービスに対応した表示データを、前記サービスの内容を表示するための表示データを記憶した第２データベースから取得する取得ステップと、前記取得した表示データを前記未登録ユーザの通信識別子で特定される端末装置へ送信する送信ステップとを実行させるためのプログラムを提供する。
【発明の効果】
【００１６】
本発明によれば、サービスに登録済みのユーザが利用しているサービスの内容を、サービスに未登録のユーザが容易に理解することができる。
【図面の簡単な説明】
【００１７】
【図１】本発明の一実施形態に係る勧誘システムを構成する装置を示した図。
【図２】端末装置１０のハードウェア構成を示したブロック図。
【図３】サーバ装置３０のハードウェア構成を示したブロック図。
【図４】サーバ装置３０において実現する機能の構成を示したブロック図。
【図５】登録者データベースＤＢ１の構成を示した図。
【図６】サービス説明データベースＤＢ２の構成を示した図。
【図７】登録状況データベースＤＢ３の構成を示した図。
【図８】実施形態の動作例を説明するためのシーケンス図。
【図９】端末装置１０に表示される画面例を示した図。
【図１０】端末装置１０に表示される画面例を示した図。
【図１１】実施形態の動作例を説明するためのシーケンス図。
【図１２】端末装置１０に表示される画面例を示した図。
【図１３】実施形態の動作例を説明するためのシーケンス図。
【発明を実施するための形態】
【００１８】
［実施形態］
＜全体構成＞
図１は、本発明の一実施形態に係る勧誘システムを構成する装置を示した図である。本実施形態に係る通信網２０は、音声通信やデータ通信が行われる移動体通信網や公衆無線ＬＡＮ（Local Area Network）などを含む通信網である。通信網２０には、端末装置１０Ａ〜１０Ｃやサーバ装置３０が接続される。なお、図１においては端末装置１０Ａ〜１０Ｃを示しているが、通信網２０には４台以上の端末装置を接続することができる。
【００１９】
端末装置１０Ａ〜１０Ｃは、本実施形態においては携帯電話機であり、通信網２０を介して他の端末装置と音声通信やデータ通信を行う。なお、端末装置１０Ａ〜１０Ｃの構成は同じであるため、以下、各々を区別する必要のない場合は端末装置１０と記載する。本実施形体においては、端末装置１０は携帯電話機であるが、端末装置１０は、携帯電話機に限定されるものではなく、移動可能な端末装置であって、音声通信機能やデータ通信機能を備えているものであれば、スマートフォン、タブレットＰＣ（Personal Computer）又はＰＤＡ（Personal Digital Assistant）などであってもよい。
【００２０】
サーバ装置３０は、通信網２０を介して端末装置１０とデータ通信を行うコンピュータ装置である。サーバ装置３０は、通信網２０を利用したサービスへの登録を端末装置１０のユーザへ勧める機能を備えている。なお、この機能の詳細については後述する。
【００２１】
＜端末装置１０の構成＞
図２は、端末装置１０のハードウェア構成を例示したブロック図である。図２に示したように、端末装置１０の各部は、バス１００に接続されている。端末装置１０の各部は、このバス１００を介して各部間でデータのやり取りを行う。
通信部１０５は、通信網２０を介して音声通信やデータ通信を行う通信インターフェースとして機能する。通信部１０５は、通信網２０から送信される各種データを受信する。また、通信部１０５は、通信網２０を介して各種データを送信する。
【００２２】
表示部１０４は、表示装置として液晶ディスプレイを有しており、制御部１０１の制御の下、文字やグラフィック画面、端末装置１０を操作するためのメニュー画面などを表示する。なお、表示装置は、有機ＥＬ（Electro Luminescence）ディスプレイなどであってもよい。
操作部１０３は、端末装置１０を操作するための複数のキーや、表示部１０４の液晶ディスプレイの表面に配置された透明なタッチパッドなどである。端末装置１０のユーザが、操作部１０３のキーを操作すると、操作されたキーを示すデータが操作部１０３から制御部１０１へ出力される。また、端末装置１０のユーザが、操作部１０３のタッチパッドに触れると、触れた位置を示すデータが操作部１０３から制御部１０１へ出力される。
【００２３】
通話部１０６は、マイクロフォンとスピーカを備えている。通話部１０６は、マイクロフォンに音声が入力されると、入力された音声を表すデータを通信部１０５へ出力する。通信部１０５へ出力されたデータは、通信網２０を介して他の端末装置１０へ送信され、音声通信が行われる。また、通話部１０６は、音声通信に係るデータを受信した通信部１０５から音声通信に係るデータが供給されると、この供給されたデータをアナログ信号に変換してスピーカへ出力し、スピーカから音声を出力する。
【００２４】
記憶部１０２は、各種データやプログラムを記憶するメモリを備えており、端末装置１０においてオペレーティングシステムの機能を実現するＯＳプログラム、ブラウザの機能を実現するブラウザプログラム、電子メールの機能を実現する電子メールプログラム、電話帳の機能を実現する電話帳プログラムなどを記憶している。また、記憶部１０２は、電話帳のデータや、端末装置１０のユーザを一意的に識別するユーザ識別子（例えばユーザに付与された電話番号や電子メールアドレス）、端末装置１０のユーザの氏名などを記憶する。
【００２５】
例えば、端末装置１０ＡのユーザＡの電話番号が「090-0000-0000」、電子メールアドレスが「aaa@docomo.ne.jp」である場合、端末装置１０Ａの記憶部１０２には、この電話番号「090-0000-0000」と、電子メールアドレス「aaa@docomo.ne.jp」が記憶されている。また、端末装置１０ＢのユーザＢの電話番号が「090-0000-1111」、電子メールアドレスが「bbb@docomo.ne.jp」であり、端末装置１０ＣのユーザＣの電話番号が「090-0000-2222」、電子メールアドレスが「ccc@docomo.ne.jp」である場合、端末装置１０Ｂの記憶部１０２には、電話番号「090-0000-1111」と、電子メールアドレス「bbb@docomo.ne.jp」が記憶されており、端末装置１０Ｃの記憶部１０２には、電話番号「090-0000-2222」と、電子メールアドレス「ccc@docomo.ne.jp」が記憶されている。
また、例えば、端末装置１０Ａの記憶部１０２の電話帳データにおいては、ユーザＡの家族であるユーザＢの氏名、電話番号及び電子メールアドレスと、ユーザＡの友人であるユーザＣの氏名、電話番号及び電子メールアドレスが格納される。
【００２６】
制御部１０１は、ＣＰＵ（Central Processing Unit）、ＲＯＭ（Read Only Memory）及びＲＡＭ（Random Access Memory）を備えたマイクロコントローラである。ＣＰＵがＲＯＭに記憶されているブートローダを実行した後、記憶部１０２に記憶されているＯＳプログラムを実行すると、携帯電話機としての基本機能が実現する。端末装置１０において、携帯電話機としての基本機能が実現すると、端末装置１０は、音声通信やデータ通信を行うことが可能となる。また、ＣＰＵがＯＳプログラムを実行すると、制御部１０１は、操作部１０３から供給されるデータや、通信部１０５で受信されたデータに応じて各種処理を実行し、端末装置１０の各部を制御する。例えば、記憶部１０２に記憶されたブラウザプログラムや電子メールプログラムの実行を指示する操作が操作部１０３において行われると、制御部１０１は、これらのプログラムを記憶部１０２から読みだして実行する。
【００２７】
＜サーバ装置３０の構成＞
図３は、サーバ装置３０のハードウェア構成の一例を示したブロック図である。図３に示したように、サーバ装置３０の各部はバス３００に接続されており、このバス３００を介して各部間でデータのやり取りを行う。
【００２８】
通信部３０５は、通信ケーブルによって通信網２０に接続されており、通信網２０を介してデータ通信を行う通信インターフェースとして機能する。操作部３０３は、ユーザにより操作されるキーボードおよびマウスを有している。操作部３０３は、マウスまたはキーボードが操作されると、操作されたボタンやキーを表すデータを制御部３０１へ出力する。表示部３０４は、表示装置として液晶ディスプレイを有しており、制御部３０１の制御の下、文字やグラフィック画面、サーバ装置３０を操作するためのメニュー画面などを表示する。
【００２９】
記憶部３０２は、データを記憶する装置（例えばハードディスク装置）を有しており、各種プログラムを記憶する。具体的には、サーバ装置３０においてオペレーティングシステムの機能を実現するＯＳプログラムを記憶している。また、記憶部３０２は、通信網２０を利用したサービスへの登録を勧める機能を実現するアプリケーションプログラム（以下、勧誘アプリと称する）を記憶している。また、記憶部３０２は、登録者データベースＤＢ１、サービス説明データベースＤＢ２、及び登録状況データベースＤＢ３を記憶している。
【００３０】
図４は、勧誘アプリを実行することにより実現する機能の構成を示したブロック図である。受信部３５０は、サービスの利用登録をしているユーザの通信識別子と、サービスに未登録のユーザの通信識別子を受信するものであり、通信部３０５で受信されたこれらの通信識別子を、通信部３０５から受信する。取得部３５１は、サービスの利用登録をしているユーザが利用しているサービスの内容を表示するためのデータを、サービス説明データベースＤＢ２から取得するものである。送信部３５２は、サービス説明データベースＤＢ２から取得したデータを、サービスに未登録のユーザの通信識別子で特定される端末装置へ、通信部３０５を制御して送信するものである。
【００３１】
次に、各データベースについて説明する。
登録者データベースＤＢ１（第１データベース）は、端末装置１０のユーザ毎に設けられるデータベースであり、図５に示した構成となっている。なお、図５は、端末装置１０Ａのユーザであり、通信網２０を利用したサービスへの利用登録をしたユーザＡの登録者データベースＤＢ１の構成を示したものである。
氏名フィールドは、端末装置１０のユーザの氏名が格納されるフィールドである。登録者データベースＤＢ１が端末装置１０ＡのユーザＡに対応したデータベースである場合、氏名フィールドの１行目には、このデータベースに対応するユーザＡの氏名が格納され、２行目以降には、ユーザＡの端末装置１０Ａに記憶された電話帳データに格納されている氏名、即ち、ユーザＢ，Ｃの氏名が格納される。
通信識別子フィールドは、同じレコードに格納されている氏名のユーザに付与されている電話番号と電子メールアドレスが格納されるフィールドである。
【００３２】
登録状況フィールドは、通信網２０を利用したサービスへの登録状況を格納するフィールドである。例えば、通信網２０を利用したサービスとしてサービスＡ〜サービスＣがあり、ユーザＡがサービスＡ〜サービスＣに登録している場合、図５に示したように、ユーザＡのレコードにおいては、サービスＡ〜サービスＣの列に「○」が格納される。また、ユーザＢが、サービスＡ〜サービスＣに登録していない場合には、ユーザＢの氏名が格納されたレコードにおいては、サービスＡ〜サービスＣの列に「×」が格納される。
【００３３】
許可範囲フィールドは、１行目に格納されている氏名のユーザにより設定されたデータが格納される。具体的には、例えば、ユーザＡがユーザＢに対してサービスＡ〜Ｃへの登録を勧める場合、図５に示したように、ユーザＢの氏名が格納されたレコードにおいては「○」（許可データ）が格納される。また、ユーザＡがユーザＣに対してサービスＡ〜Ｃへの登録を勧めない場合、ユーザＣの氏名が格納されたレコードにおいては「×」（非許可データ）が格納される。
【００３４】
登録状況表示フィールドは、１行目に格納されている氏名のユーザにより設定されたデータが格納される。具体的には、サービスＡ〜サービスＣへの登録状況の表示を、他の端末装置１０のユーザへ許可するか否かを示すデータが格納される。例えば、サービスＡについてユーザＡの登録期間が１ヶ月であり、ユーザＡが、この登録状況をユーザＢ，Ｃに表示しても良い場合、図５に示したように、ユーザＡの氏名が格納されているレコードにおいては「○」が格納される。一方、ユーザＡが、この登録状況の表示を許可しない場合、ユーザＡの氏名が格納されているレコードにおいては「×」が格納される。
【００３５】
サービス説明データベースＤＢ２（第２データベース）は、サービスＡ〜サービスＣに関する情報を格納するデータベースであり、図６に示したように、サービス名フィールド、説明フィールド、及びＵＲＬ（Uniform Resource Locator）フィールドで構成されている。
サービス名フィールドは、通信網２０を利用したサービスの名称が格納されるフィールドである。図６においては、１行目にサービスＡの名称、２行目にサービスＢの名称、３行目にサービスＣの名称が格納されている。
説明フィールドは、サービスＡ〜サービスＣを説明する文章が格納されるフィールドである。図６のサービス説明データベースＤＢ２場合、１行目にはサービスＡの概要説明の文が格納され、２行目にはサービスＢの概要説明の文が格納され、３行目にはサービスＣの概要説明の文が格納されている。
ＵＲＬフィールドは、サービスＡ〜サービスＣの詳細な説明を記述したＷＥＢページのＵＲＬが格納されるフィールドである。図６のサービス説明データベースＤＢ２場合、１行目にはサービスＡの詳細説明のＷＥＢページのＵＲＬが格納され、２行目にはサービスＢの詳細説明のＷＥＢページのＵＲＬが格納され、３行目にはサービスＣの詳細説明のＷＥＢページのＵＲＬが格納されている。
【００３６】
図７に示した登録状況データベースＤＢ３（第３データベース）は、端末装置１０のユーザのサービスＡ〜サービスＣへの登録状況を格納するデータベースであり、通信識別子フィールドと、登録状況フィールドで構成されている。
通信識別子フィールドは、端末装置１０のユーザに付与された通信識別子が格納されるフィールドである。図７に示した登録状況データベースＤＢ３の場合、１行目には、ユーザＡに付与された電話番号と電子メールアドレスが格納され、２行目には、ユーザＢに付与された電話番号と電子メールアドレスが格納され、３行目には、ユーザＣに付与された電話番号と電子メールアドレスが格納されている。
登録状況フィールドには、通信網２０を利用するサービスＡ〜サービスＣのフィールドが設けられており、これらのサービスへのユーザの登録状況を示すデータが格納される。例えば、ユーザＡのサービスＡに対する登録期間が１ヶ月、サービスＢに対する登録期間が３ヶ月、サービスＣに対する登録期間が６ヶ月である場合、ユーザＡの氏名が格納されているレコードにおいては、図７に示したように、サービスＡの列にサービスＡの登録期間を示す「１ヶ月」が格納され、サービスＢの列にサービスＢの登録期間を示す「３ヶ月」が格納され、サービスＣの列にサービスＣの登録期間を示す「６ヶ月」が格納される。また、ユーザがサービスに対して未登録である場合には「未登録」というデータが格納される。
【００３７】
＜実施形態の動作例＞
次に、本実施形態の動作例について説明する。なお、以下の説明においては、ユーザＡの登録者データベースＤＢ１を記憶部３０２に記憶させる場合の動作例、ユーザＢがユーザＡの登録しているサービスを確認する場合の動作例、及びユーザＡが登録しているサービスをユーザＢに勧める場合の動作例について説明する。
【００３８】
（ユーザＡの登録者データベースＤＢ１を記憶部３０２に記憶させる場合の動作例）
図８は、ユーザＡの登録者データベースＤＢ１を記憶部３０２に記憶させる場合の動作を説明するためのシーケンス図である。まず、ユーザＡは、端末装置１０Ａにおいて、ブラウザプログラムの実行を指示する操作を行う。制御部１０１が、この操作に応じてブラウザプログラムを実行すると（ステップＳ１）、ブラウザの機能が実現し、端末装置１０Ａは、サーバ装置３０にアクセスすることが可能となる。次に、ユーザＡがサーバ装置３０にアクセスする操作を行うと、端末装置１０Ａが通信網２０を介してサーバ装置３０へアクセスし（ステップＳ２）、ＷＥＢページのデータが端末装置１０Ａへ送信され（ステップＳ３）、図９の（ａ）に例示した画面が表示される（ステップＳ４）。
【００３９】
ここで、ユーザＡが、画面の「（１）自分が登録しているサービスを勧める相手の設定」という項目を選択すると、端末装置１０Ａとサーバ装置３０が通信を行い（ステップＳ５）、図９の（ｂ）に例示した、電話帳データの送信を促す画面が表示される（ステップＳ６）。ここで、ユーザＡが「許可」を選択する操作を行うと、記憶部１０２に記憶されている電話帳データ、ユーザＡの氏名、電話番号及び電子メールアドレスがサーバ装置３０へ送信される（ステップＳ７）。
サーバ装置３０は、端末装置１０Ａから送信されたデータを取得すると、ユーザＡの氏名、電話番号及び電子メールアドレスを１行目のレコードに格納した登録者データベースＤＢ１を生成し、電話帳データに格納されている氏名、電話番号、電子メールアドレスを、登録者データベースＤＢ１の２行目以降のレコードに格納する（ステップＳ８）。
【００４０】
次にサーバ装置３０は、登録者データベースＤＢ１に格納された通信識別子で特定されるユーザのサービスＡ〜サービスＣへの登録状況を取得して登録状況データベースＤＢ３を生成する（ステップＳ９）。例えば、通信網２０においては、ユーザＡ〜ユーザＣについて、サービスＡからサービスＣへの登録状況を記憶した装置（例えば、ホームロケーションレジスタ）が接続されている。サーバ装置３０は、登録状況フィールドに格納されたユーザＡ〜ユーザＣの通信識別子を、この装置へ送信し、ユーザＡ〜ユーザＣについて、サービスＡ〜サービスＣへの登録状況を取得し、登録状況データベースＤＢ３を生成する。サーバ装置３０は、ユーザＡ〜ユーザＣについてサービスＡ〜サービスＣへの登録状況を取得すると、取得したデータに基づいて、登録または未登録を判断し、図５に示したように各ユーザの登録状況のフィールドに「○」又は「×」のデータが格納する。
【００４１】
次にサーバ装置３０は、登録者データベースＤＢ１の許可範囲フィールドのデータと、登録状況表示フィールドのデータの設定を行うためのデータを端末装置１０Ａへ送信する（ステップＳ１０）。具体的には、ユーザＡの登録者データベースＤＢ１の内容を表示するデータが端末装置１０Ａへ送信され、端末装置１０Ａにおいては、図１０に例示した画面、即ち、登録者データベースＤＢ１の内容が表示される（ステップＳ１１）。
【００４２】
ユーザＡは、登録者データベースＤＢ１の内容が表示されるとデータの設定を行う（ステップＳ１２）。具体的には、ユーザＡは、ユーザＢに対してサービスＡ〜サービスＣへの登録を勧める場合、ユーザＢの氏名が格納されたレコードの許可範囲フィールドに「○」を入力し、ユーザＢに対してサービスＡ〜サービスＣへの登録を勧めない場合、ユーザＣの氏名が格納されたレコードの許可範囲フィールドに「×」を入力する。また、ユーザＡは、自身のサービスＡ〜サービスＣへの登録状況を他のユーザに表示しても良い場合、自身の氏名が格納された１行目のレコードの登録状況表示フィールドに「○」を入力する。なお、他のユーザに対して登録状況の表示を許可しない場合には、登録状況表示フィールドに「×」を入力する。
【００４３】
設定が終了し、ユーザＡが、設定したデータを送信する操作を行うと、許可範囲と登録状況表示の設定がされた登録者データベースＤＢ１のデータがサーバ装置３０へ送信され（ステップＳ１３）、例えば、図５に示した登録者データベースＤＢ１が記憶部３０２に記憶される（ステップＳ１４）。
【００４４】
（ユーザＢがユーザＡの登録しているサービスを確認する場合の動作例）
図１１は、ユーザＢがユーザＡの登録しているサービスを確認する場合の動作を説明するためのシーケンス図である。ユーザＢがユーザＡの登録しているサービスを確認する場合、まず、ユーザＢは、端末装置１０Ｂにおいて、ブラウザプログラムの実行を指示する操作を行う。制御部１０１が、この操作に応じてブラウザプログラムを実行すると（ステップＳ２１）、ブラウザの機能が実現し、端末装置１０Ｂは、サーバ装置３０にアクセスすることが可能となる。次に、ユーザＢがサーバ装置３０にアクセスする操作を行うと、端末装置１０Ｂが通信網２０を介してサーバ装置３０へアクセスし（ステップＳ２２）、ＷＥＢページのデータが端末装置１０Ｂへ送信され（ステップＳ２３）、図９の（ａ）に例示した画面が表示される（ステップＳ２４）。
【００４５】
ここで、ユーザＢが、画面の「（２）知人の登録しているサービスを確認」という項目を選択すると、図９の（ｃ）に例示した画面が表示され、知人の電話番号（通信識別子）の入力を促す画面が表示される。ここで、ユーザＢがユーザＡの電話番号を入力し（ステップＳ２５）、表示されている送信ボタンに触れる操作を行うと、入力されたユーザＡの電話番号と、記憶部１０２に記憶されているユーザＢの電話番号（通信識別子）がサーバ装置３０へ送信される（ステップＳ２６）。なお、本実施形態においては、サーバ装置３０へ送信する通信識別子は電話番号となっているが、電話番号ではなく電子メールアドレスであってもよい。
【００４６】
サーバ装置３０（制御部３０１（受信部３５０））は、端末装置１０Ｂから送られたユーザＡの通信識別子と、ユーザＢの通信識別子を取得する。ユーザＡとユーザＢの通信識別子を取得した制御部３０１（取得部３５１）は、記憶部３０２に記憶されている登録者データベースＤＢ１のうち、端末装置１０Ｂで入力されたユーザＡの通信識別子が１行目に格納されている登録者データベースＤＢ１を検索する（ステップＳ２７）。ここで、ユーザＡの通信識別子が１行目に格納されている登録者データベースＤＢ１が見つからなかった場合（ステップＳ２８でＮＯ）、制御部３０１は、ユーザＡの登録しているサービスを表示できない旨のＷＥＢページのデータを端末装置１０Ｂへ送信する（ステップＳ２９）。端末装置１０Ｂは、このＷＥＢページを取得すると、取得したデータが表すＷＥＢページを表示する（ステップＳ３０）。
【００４７】
一方、制御部３０１は、ユーザＡの通信識別子が１行目に格納されている登録者データベースＤＢ１を見つけた場合（ステップＳ２８でＹＥＳ）、通信識別子を送信した端末装置１０Ｂのユーザ（ユーザＢ）の通信識別子を、特定した登録者データベースＤＢ１において検索する（ステップＳ３１）。
ここで、ユーザＢの通信識別子が見つからなかった場合（ステップＳ３２でＮＯ）、制御部３０１は、ユーザＡの登録しているサービスを表示できない旨のＷＥＢページのデータを端末装置１０Ｂへ送信し（ステップＳ３３）、端末装置１０Ｂは、このＷＥＢページを取得すると、取得したデータが表すＷＥＢページを表示する（ステップＳ３０）。
【００４８】
制御部３０１は、ユーザＢの通信識別子である電話番号「090-0000-1111」が、ユーザＡの登録者データベースＤＢ１に格納されている場合（ステップＳ３２でＹＥＳ）、ユーザＢのレコードの許可範囲フィールドの内容を確認する。ここで、許可範囲フィールドに格納されているデータが「×」である場合（ステップＳ３４でＮＯ）、制御部３０１は、ユーザＡの登録しているサービスを表示できない旨のＷＥＢページのデータを端末装置１０Ｂへ送信し（ステップＳ３５）、端末装置１０Ｂは、このＷＥＢページを取得すると、取得したデータが表すＷＥＢページを表示する（ステップＳ３０）。
【００４９】
一方、許可範囲フィールドに格納されているデータが図５に示されているように「○」である場合（ステップＳ３４でＹＥＳ）、制御部３０１は、端末装置１０Ｂに入力された通信識別子で特定されるユーザＡが登録しているサービスへの登録を、通信識別子を送信した端末装置１０ＢのユーザＢに勧めると判断する。
【００５０】
制御部３０１は、サービスへの登録を勧める場合、勧めるサービスを特定する（ステップＳ３６）。具体的には、制御部３０１は、ユーザＡの通信識別子をキーにして、登録者データベースＤＢ１の登録状況フィールドからユーザＡのサービスへの登録状況を取得する。また、制御部３０１は、ユーザＢの通信識別子をキーにして、登録状況フィールドからユーザＢのサービスへの登録状況を取得する。そして制御部３０１は、ユーザＡが登録しており、且つ、ユーザＢが未登録のサービスを、ユーザＢに勧めるサービスとして特定する。
ここで、登録状況フィールドの内容が図５の状態である場合、ユーザＢは、ユーザＡが登録しているサービスＡ〜サービスＣに未登録であるため、制御部３０１は、ユーザＢに勧めるサービスをサービスＡ〜サービスＣとする。制御部３０１は、ユーザＢに勧めるサービスを特定すると、特定したサービスの説明とＵＲＬをサービス説明データベースＤＢ２から取得する（ステップＳ３７）。
【００５１】
次に、制御部３０１は、ユーザＡの登録状況を表示するか判断する（ステップＳ３８）。具体的には、制御部３０１は、まず、登録者データベースＤＢ１において、ユーザＡの登録状況表示フィールドの内容を取得する。ここで、登録状況表示フィールドの内容が「○」である場合、制御部３０１は、ユーザＡのサービスへの登録状況をユーザＢに表示するものと判断する（ステップＳ３８でＹＥＳ）。制御部３０１は、ステップＳ３８でＹＥＳと判断した場合、ユーザＡの氏名を登録者データベースＤＢ１から取得し、登録状況データベースＤＢ３においてユーザＡの通信識別子に対応付けられている登録状況を取得する（ステップＳ３９）。なお、ステップＳ３８でＮＯとなった場合には、制御部３０１は、ステップＳ３９の処理を行わない。
【００５２】
次に制御部３０１は、ユーザＢの電子メールアドレスを登録者データベースＤＢ１から取得し、取得した電子メールアドレスを宛先とした電子メールを生成する（ステップＳ４０）。ここで、電子メールの本文には、サービスへの登録を勧める文章、サービス説明データベースＤＢ２から取得したサービスＡ〜サービスＣの説明、サービスＡ〜サービスＣの詳細説明のＵＲＬなどが記述される。また、電子メールの本文には、登録状況データベースＤＢ３から取得した、ユーザＡのサービスＡ〜サービスＣへの登録状況が記述される。
【００５３】
次に制御部３０１（送信部３５２）は、生成した電子メールを送信する（ステップＳ４１）。この電子メールは、通信網２０を介して端末装置１０Ｂへ送信される。サーバ装置３０から送信された電子メールを端末装置１０Ｂが受信し、受信した電子メールを開く操作をユーザＢが行うと、端末装置１０Ｂは、図１２に例示したように、サービスＡ〜サービスＣへの登録を勧める文章、サービスＡ〜サービスＣの説明、ユーザＡのサービスＡ〜サービスＣに対する登録状況、及びサービスＡ〜サービスＣの詳細説明のＵＲＬを表示する（ステップＳ４２）。
【００５４】
（ユーザＡが登録しているサービスをユーザＢに勧める場合の動作例）
図１３は、ユーザＢがユーザＡの登録しているサービスを確認する場合の動作を説明するためのシーケンス図である。まず、ユーザＡがユーザＢに電話を掛ける操作を行うと、端末装置１０Ａと端末装置１０Ｂとの間で音声通話回線が確立し、端末装置１０Ａと端末装置１０Ｂとの間で音声通話が行われる（ステップＳ５１）。次に、端末装置１０Ａと端末装置１０Ｂとの間の音声通話が終了し、音声通話回線を切断する操作が行われると、発呼側の端末装置１０Ａのユーザ（ユーザＡ）の通信識別子（電話番号）と、着呼側の端末装置１０Ｂのユーザ（ユーザＢ）の通信識別子（電話番号）が、通信網２０からサーバ装置３０へ送られる。
【００５５】
サーバ装置３０（制御部３０１（受信部３５０））は、通信網２０から送られた発呼側のユーザＡの通信識別子と、着呼側のユーザＢの通信識別子を取得する（ステップＳ５２）。ユーザＡとユーザＢの通信識別子を取得した制御部３０１（取得部３５１）は、記憶部３０２に記憶されている登録者データベースＤＢ１のうち、発呼側のユーザＡの通信識別子が１行目に格納されている登録者データベースＤＢ１を検索する（ステップＳ５３）。ここで、ユーザＡの通信識別子が１行目に格納されている登録者データベースＤＢ１が見つからなかった場合（ステップＳ５４でＮＯ）、制御部３０１は、ユーザＡが登録しているサービスをユーザＢに勧める処理を終了する。
【００５６】
一方、制御部３０１は、ユーザＡの通信識別子が１行目に格納されている登録者データベースＤＢ１を見つけた場合（ステップＳ５４でＹＥＳ）、着呼側の端末装置１０Ｂのユーザ（ユーザＢ）の通信識別子を、特定した登録者データベースＤＢ１において検索する（ステップＳ５５）。ここで、ユーザＢの通信識別子が見つからなかった場合（ステップＳ５６でＮＯ）、制御部３０１は、ユーザＡが登録しているサービスをユーザＢに勧める処理を終了する。
【００５７】
制御部３０１は、ユーザＢの通信識別子である電話番号「090-0000-1111」が、ユーザＡの登録者データベースＤＢ１に格納されている場合（ステップＳ５６でＹＥＳ）、ユーザＢの許可範囲フィールドの内容を確認する。ここで、許可範囲フィールドに格納されているデータが「×」である場合（ステップＳ５７でＮＯ）、制御部３０１は、ユーザＡが登録しているサービスをユーザＢに勧める処理を終了する。
【００５８】
一方、許可範囲フィールドに格納されているデータが図５に示されているように「○」である場合（ステップＳ５７でＹＥＳ）、制御部３０１は、発呼側の端末装置１０ＡのユーザＡが登録しているサービスへの登録を、着呼側の端末装置１０ＢのユーザＢに勧めると判断する。
【００５９】
制御部３０１は、サービスへの登録を勧める場合、勧めるサービスを特定する（ステップＳ５８）。具体的には、制御部３０１は、ユーザＡの通信識別子をキーにして、登録者データベースＤＢ１の登録状況フィールドからユーザＡのサービスへの登録状況を取得する。また、制御部３０１は、ユーザＢの通信識別子をキーにして、登録状況フィールドからユーザＢのサービスへの登録状況を取得する。そして制御部３０１は、ユーザＡが登録しており、且つ、ユーザＢが未登録のサービスを、ユーザＢに勧めるサービスとして特定する。
ここで、登録状況フィールドの内容が図５の状態である場合、ユーザＢは、ユーザＡが登録しているサービスＡ〜サービスＣに未登録であるため、制御部３０１は、ユーザＢに勧めるサービスをサービスＡ〜サービスＣとする。制御部３０１は、ユーザＢに勧めるサービスを特定すると、特定したサービスの説明とＵＲＬをサービス説明データベースＤＢ２から取得する（ステップＳ５９）。
【００６０】
次に、制御部３０１は、ユーザＡの登録状況を表示するか判断する（ステップＳ６０）。具体的には、制御部３０１は、まず、登録者データベースＤＢ１において、ユーザＡの登録状況表示フィールドの内容を取得する。ここで、登録状況表示フィールドの内容が「○」である場合、制御部３０１は、ユーザＡのサービスへの登録状況をユーザＢに表示するものと判断する（ステップＳ６０でＹＥＳ）。制御部３０１は、ステップＳ６０でＹＥＳと判断した場合、ユーザＡの氏名を登録者データベースＤＢ１から取得し、登録状況データベースＤＢ３においてユーザＡの通信識別子に対応付けられている登録状況を取得する（ステップＳ６１）。なお、ステップＳ６０でＮＯとなった場合には、制御部３０１は、ステップＳ６１の処理を行わない。
【００６１】
次に制御部３０１は、着呼側のユーザＢの電子メールアドレスを登録者データベースＤＢ１から取得し、取得した電子メールアドレスを宛先とした電子メールを生成する（ステップＳ６２）。ここで、電子メールの本文には、サービスへの登録を勧める文章、サービス説明データベースＤＢ２から取得したサービスＡ〜サービスＣの説明、サービスＡ〜サービスＣの詳細説明のＵＲＬなどが記述される。また、電子メールの本文には、登録状況データベースＤＢ３から取得した、ユーザＡのサービスＡ〜サービスＣへの登録状況が記述される。
【００６２】
次に制御部３０１は（送信部３５２）、生成した電子メールを端末装置１０Ｂへ送信する（ステップＳ６３）。この電子メールは、通信網２０を介して端末装置１０Ｂへ送信される。サーバ装置３０から送信された電子メールを端末装置１０Ｂが受信し、受信した電子メールを開く操作をユーザＢが行うと、端末装置１０Ｂは、図１２に例示したように、サービスＡ〜サービスＣへの登録を勧める文章、サービスＡ〜サービスＣの説明、ユーザＡのサービスＡ〜サービスＣに対する登録状況、及びサービスＡ〜サービスＣの詳細説明のＵＲＬを表示する（ステップＳ４２）。
【００６３】
以上説明したように、本実施形態においては、未登録のサービスを説明する表示がサービスに未登録のユーザの端末に表示されるので、未登録のサービスについてサービスの内容を容易に理解することができ、サービスへの登録を勧めることができる。
【００６４】
［変形例］
以上、本発明の実施形態について説明したが、本発明は上述した実施形態に限定されることなく、他の様々な形態で実施可能である。例えば、上述の実施形態を以下のように変形して本発明を実施してもよい。なお、上述した実施形態および以下の変形例は、各々を組み合わせてもよい。
【００６５】
上述した実施形態においては、サービスの登録をしたユーザＡについて、サービスの利用回数や、予め定められた期間（日、週、月など）におけるサービスの利用回数（頻度）に基づいて、登録を勧めるサービスを選択するようにしてもよい。例えば、通信網２０にサービスの利用履歴を記録する履歴記憶装置を設ける。サーバ装置３０は、サービスの登録をしているユーザについてサービスの利用履歴を履歴記憶装置から取得し、一週間の利用頻度が予め定められた閾値以上のサービスについてのみ、サービスの概要説明と詳細説明のＵＲＬをサービス説明データベースＤＢ２から取得して電子メールに記述するようにしてもよい。
【００６６】
上述した実施形態においては、端末装置１０同士の間で音声通話が行われる度にサービスへの登録を勧める電子メールが着呼側の者へ送られている。しかしながら、音声通話が行われる度にサービスへの登録を勧めない構成としてもよい。例えば、サーバ装置３０は、音声通話回線が切断されたことにより通信網２０から送られた発呼側及び着呼側の通信識別子を記憶し、ユーザ間の音声通話の回数が偶数回となった場合、又は奇数回となった場合に、サービスへの登録を勧める電子メールを送信するなど、複数回の音声通話毎に電子メールでサービスへの登録を勧めるようにしてもよい。なお、偶数回や奇数回に限定されるものではなく、通話が１０回行われる毎にサービスへの登録を勧める電子メールを送信するなど、予め定められた回数の通話が行われる毎に電子メールを送信するようにしてもよい。
【００６７】
上述した実施形態においては、着呼側のユーザＢに対し、発呼側のユーザＡが登録しているサービスを勧める構成となっているが、音声通話回線が切断された場合、発呼側のユーザに対しても、着呼側のユーザＢが登録しているサービスを電子メールで勧めるようにしてもよい。
【００６８】
上述した実施形態においては、登録者データベースＤＢ１の登録状況表示フィールドについては、１行目のレコードに「○」又は「×」が格納される構成となっているが、１行目のレコードには、「○」又は「×」のデータを格納せず、２行目以降のレコード毎に「○」又は「×」を格納するようにしてもよい。
例えば、図５において２行目のレコードの登録状況表示フィールドに「○」、３行目のレコードの登録状況表示フィールドに「×」が格納されているものとする。この場合、ユーザＡと音声通話を行ったユーザＢに対しては、ユーザＢの通信識別子が格納されたレコードに「○」が格納されているため、ユーザＡの登録状況を表示する電子メールを送信し、ユーザＡと音声通話を行ったユーザＣに対しては、ユーザＣの通信識別子が格納されたレコードに「×」が格納されているため、ユーザＡの登録状況を表示しない構成としてもよい。
【００６９】
上述した実施形態においては、登録者データベースＤＢ１の許可範囲フィールドに「○」が格納されているユーザに対しては、サービスへの登録を勧める電子メールを送信し、「×」が格納されているユーザに対しては、サービスへの登録を勧める電子メールを送信しない構成となっているが、この構成に限定されるものではない。
例えば、図５に登録者データベースＤＢ１において、ユーザＢの通信識別子が格納されているレコードの許可範囲フィールドに「○」や「×」以外の「−」が格納されている場合、サーバ装置３０は、ユーザＡとユーザＢの音声通話の回数又は音声通話の頻度が予め定められた閾値を超えるまでは、サービスへの登録を勧める電子メールを送信せず、閾値を超えるとサービスへの登録を勧める電子メールを送信するようにしてもよい。
なお、音声通話の回数や頻度については、例えば、通信網２０において、ユーザ毎に音声通話の履歴を記録する装置を設け、この装置からユーザ同士の音声通話の回数や頻度を取得するようにしてもよい。また、表示フィールドに「○」以外のデータが格納されており、且つ、ユーザＡとユーザＢの音声通話の頻度が予め定められた閾値以上である場合、表示フィールドに格納されているデータを「○」にするように促す電子メールをユーザＡに送信するようにしてもよい。
【００７０】
また、例えば、端末装置１０のユーザが、家族で通信網２０の利用契約をしている場合、通信網２０においては、契約者の家族関係を記録し、家族間の音声通話が行われたか否かを把握している。これを利用し、家族同士が音声通話を行った場合、発呼側と着呼側の通信識別子に加えて、家族同士が通話を行ったことを示すデータを通信網２０からサーバ装置３０へ送信し、着呼側のユーザＢが発呼側のユーザＡの家族であり、図５の登録者データベースＤＢ１において、ユーザＢの通信識別子が格納されているレコードに「−」が格納されている場合、サービスへの登録を勧める電子メールを送信するようにしてもよい。
【００７１】
上述した実施形態においては、登録者データベースＤＢ１において、登録状況表示フィールドを設けないようにしてもよい。この構成においては、登録状況の表示を行うか否かの判断が行われず、登録状況の表示も行われないため、上述の実施形態と比較すると、サーバ装置３０において記憶するデータの量を少なくし、端末装置１０へ送信するデータの量を少なくすることができる。
【００７２】
上述した実施形態においては、サービスの概要説明と、サービスの詳細説明のＷＥＢページのＵＲＬが端末装置１０において表示されるが、サービスの詳細説明だけを表示するようにしてもよく、当該ＵＲＬを含むハイパーリンクだけを表示するようにしてもよい。
【００７３】
上述した実施形態においては、サーバ装置３０から送信された端末装置１０は、電子メールを開封した場合、開封したことを示す通知をサーバ装置３０へ送信するようにしてもよい。この構成においては、サーバ装置３０は、電子メールを送信してから予め定められた一定期間の間に開封通知を受信していない電子メールを再送するようにしてもよい。
【００７４】
上述した実施形態においては、サーバ装置３０は、端末装置１０のユーザのサービスへの登録状況を定期的に通信網２０から取得し、登録状況データベースＤＢ３と、登録者データベースＤＢ１の登録状況フィールドの内容を更新するようにしてもよい。
【００７５】
通信網２０を利用したサービスへの登録を勧める機能を実現するプログラムは、磁気記録媒体（磁気テープ、磁気ディスク（ＨＤＤ（Hard Disk Drive）、ＦＤ（Flexible Disk））など）、光記録媒体（光ディスクなど）、光磁気記録媒体、半導体メモリなどのコンピュータ読取り可能な記録媒体に記憶した状態で提供し、サーバ装置３０にインストールしてもよい。また、通信網２０を介してプログラムをダウンロードしてサーバ装置３０にインストールしてもよい。
【符号の説明】
【００７６】
１０，１０Ａ〜１０Ｃ…端末装置、２０…通信網、３０…サーバ装置、１００…バス、１０１…制御部、１０２…記憶部、１０３…操作部、１０４…表示部、１０５…通信部、１０６…通話部、３００…バス、３０１…制御部、３０２…記憶部、３０３…操作部、３０４…表示部、３０５…通信部、ＤＢ１…登録者データベース、ＤＢ２…サービス説明データベース、ＤＢ３…登録状況データベース
【図１】
2013162217.tif 000003
【図２】
2013162217.tif 000004
【図３】
2013162217.tif 000005
【図４】
2013162217.tif 000006
【図５】
2013162217.tif 000007
【図６】
2013162217.tif 000008
【図７】
2013162217.tif 000009
【図８】
2013162217.tif 000010
【図９】
2013162217.tif 000011
【図１０】
2013162217.tif 000012
【図１１】
2013162217.tif 000013
【図１２】
2013162217.tif 000014
【図１３】
2013162217.tif 000015